(57)【要約】【課題】  記録媒体の表面にオーバコートフィルムを確実に付することができるオーバコート装置を提供する。【解決手段】  オーバコート装置１では、ローラ部６４ａがフィルムＡ１の幅と略同一の幅を有し、且つローラ部６４ａの中心軸線方向へのフィルムＡ１の動きを規制する規制部６４ｂがローラ部６４ａの両端に形成されているため、ボビン２４から延出してローラ部６４ａに巻き掛けられたフィルムＡ１は殆ど蛇行せずに走行することになる。しかも、フィルムＡ１が巻き付けられるボビン２４が、その中心軸線方向への遊びを有してボビン保持部２６により保持されているため、ボビン２４に対するフィルムＡ１の巻付け位置がずれても、ローラ部６４ａにフィルムＡ１が確実に巻き掛けられるようにボビン保持部２６に対してボビン２４が移動することになる。【選択図】  図２
2005271382.tif 000002
【特許請求の範囲】
【請求項１】
走行するキャリアフィルム上のオーバコートフィルムをヒートローラにより記録媒体の表面に熱圧着するオーバコート装置において、
前記キャリアフィルムが巻き付けられるボビンを、その中心軸線方向への遊びをもって保持するボビン保持部と、
前記キャリアフィルムの幅と略同一の幅を有し、前記ボビンから延出する前記キャリアフィルムが巻き掛けられるローラ部と、
前記ローラ部の両端に形成され、前記ローラ部の中心軸線方向への前記キャリアフィルムの動きを規制する規制部とを備えることを特徴とするオーバコート装置。
【請求項２】
前記ローラ部は、その中心軸線方向への位置調整が可能であることを特徴とする請求項１記載のオーバコート装置。
【発明の詳細な説明】
【技術分野】
【０００１】
本発明は、カード等の記録媒体の表面にオーバコートフィルムを付するオーバコート装置に関する。
【背景技術】
【０００２】
従来におけるこの種のオーバコート装置として、オーバコートフィルムが貼付されたキャリアフィルムとカードとが、並設されたヒートローラとプラテンローラとの間を通過するように構成されたものが知られている（例えば、特許文献１参照）。このような構成により、キャリアフィルム上のオーバコートフィルムがカードの表面に熱圧着される。
【特許文献１】特開平１０−７１６４８号公報
【発明の開示】
【発明が解決しようとする課題】
【０００３】
ところで、上述したようなオーバコート装置においては、供給側のボビンに巻き付けられたキャリアフィルムを巻取り側のボビンに巻き取らせることで、ヒートローラとプラテンローラとの間にキャリアフィルムを走行させるのが一般的である。
【０００４】
しかしながら、供給側のボビン又は巻取り側のボビンに対するキャリアフィルムの巻付け位置がずれると、例えばキャリアフィルムが蛇行しながらヒートローラとプラテンローラとの間を走行し、カードの表面にオーバコートフィルムを付する上で不具合が発生するおそれがある。
【０００５】
そこで、本発明は、このような事情に鑑みてなされたものであり、カード等の記録媒体の表面にオーバコートフィルムを確実に付することができるオーバコート装置を提供することを目的とする。
【課題を解決するための手段】
【０００６】
上記目的を達成するために、本発明に係るオーバコート装置は、走行するキャリアフィルム上のオーバコートフィルムをヒートローラにより記録媒体の表面に熱圧着するオーバコート装置において、キャリアフィルムが巻き付けられるボビンを、その中心軸線方向への遊びをもって保持するボビン保持部と、キャリアフィルムの幅と略同一の幅を有し、ボビンから延出するキャリアフィルムが巻き掛けられるローラ部と、ローラ部の両端に形成され、ローラ部の中心軸線方向へのキャリアフィルムの動きを規制する規制部とを備えることを特徴とする。
【０００７】
このオーバコート装置においては、ローラ部がキャリアフィルムの幅と略同一の幅を有し、且つローラ部の中心軸線方向へのキャリアフィルムの動きを規制する規制部がローラ部の両端に形成されているため、ボビンから延出してローラ部に巻き掛けられたキャリアフィルムは殆ど蛇行せずに走行することになる。これにより、走行するキャリアフィルム上のオーバコートフィルムがヒートローラにより記録媒体の表面の正確な位置に熱圧着される。しかも、キャリアフィルムが巻き付けられるボビンが、その中心軸線方向への遊びを有してボビン保持部により保持されているため、ボビンに対するキャリアフィルムの巻付け位置がずれても、ローラ部にキャリアフィルムが確実に巻き掛けられるようにボビン保持部に対してボビンが移動することになる。これにより、ローラ部においてキャリアフィルムに皺が寄ったり、キャリアフィルムが折れ曲がったりするようなことが防止される。以上により、このオーバコート装置によれば、記録媒体の表面にオーバコートフィルムを確実に付することが可能になる。
【０００８】
また、ローラ部は、その中心軸線方向への位置調整が可能であることが好ましい。これにより、キャリアフィルムに対するオーバコートフィルムの貼付位置がずれているような場合にも、ローラ部をその中心軸線方向へ位置調整することで、走行するキャリアフィルム上のオーバコートフィルムをヒートローラにより記録媒体の表面の正確な位置に熱圧着させることが可能になる。
【発明の効果】
【０００９】
本発明によれば、カード等の記録媒体の表面にオーバコートフィルムを確実に付することができる。
【発明を実施するための最良の形態】
【００１０】
以下、本発明に係るオーバコート装置の好適な実施形態について、図面を参照して詳細に説明する。
【００１１】
図１に示すように、オーバコート装置１は、キャリアフィルムＡ１，Ａ２上に所定の間隔をもって配置されたオーバコートフィルムをプラスチック製のカード（記録媒体）Ｓの上面及び下面に付する装置である。このオーバコート装置１は、筐体２内において水平方向に延在するカード搬送路３を有しており、このカード搬送路３には、カードＳを挟持して搬送する上下一対の搬送ローラ４が所定の間隔をもって複数組配置されている。
【００１２】
カード搬送路３の上側には、カードＳの上面にオーバコートフィルムを付するためのキャリアフィルムＡ１が巻き付けられる供給ローラ６と、この供給ローラ６からキャリアフィルムＡ１を巻き取る巻取りローラ７とが配置されている。なお、供給ローラ６から引出されたキャリアフィルムＡ１は、カード搬送路３に沿って配置された前後一対のフィルムガイドローラ８に巻き掛けられて、巻取りローラ７に至る。
【００１３】
同様に、カード搬送路３の下側には、カードＳの下面にオーバコートフィルムを付するためのキャリアフィルムＡ２が巻き付けられる供給ローラ１０と、この供給ローラ１０からキャリアフィルムＡ２を巻き取る巻取りローラ１１とが配置されている。なお、供給ローラ１０から引出されたキャリアフィルムＡ２は、カード搬送路３に沿って配置された前後一対のフィルムガイドローラ１２に巻き掛けられて、巻取りローラ１１に至る。
【００１４】
また、カード搬送路３の上側においてガイドローラ８，８の間には、カード搬送路３に対して進退自在となるように構成されたヒートローラ１３が配置されており、同様に、カード搬送路３の下側においてガイドローラ１２，１２の間には、カード搬送路３に対して進退自在となるように構成されたヒートローラ１４が配置されている。ヒートローラ１３の進退のタイミングは、キャリアフィルムＡ１に付されたマークをセンサ１６が検知することで制御され、同様に、ヒートローラ１４の進退のタイミングは、キャリアフィルムＡ２に付されたマークをセンサ１７が検知することで制御される。
【００１５】
これにより、各ヒートローラ１３，１４がカード搬送路３に前進すると、搬送されてきたカードＳがヒートローラ１３とヒートローラ１４とにより上下から挟み込まれて、カードＳの上面にはキャリアフィルムＡ１が押し当てられ、カードＳの下面にはキャリアフィルムＡ２が押し当てられる。その結果、カードＳの上面には、キャリアフィルムＡ１上に載せられていたオーバコートフィルムが熱圧着され、カードＳの下面には、キャリアフィルムＡ２上に載せられていたオーバコートフィルムが熱圧着される。その後、各ヒートローラ１３，１４はカード搬送路３から後退する。
【００１６】
上述した巻取りローラ７について、より詳細に説明する。なお、供給ローラ６，１０及び巻取りローラ１１は巻取りローラ７と同様の構成であるため、それらの説明を省略する。
【００１７】
図２に示すように、巻取りローラ７は、筐体２の背面側の外壁２ａ及び内壁２ｂにより滑り軸受１８を介して回転自在に支持された軸１９を有している。外壁２ａと内壁２ｂとの間において軸１９には、キャリアフィルムＡ１を巻き取るための駆動モータ２１がギヤ部２２を介して連結されている。更に、外壁２ａと内壁２ｂとの間において軸１９にはトルクリミッタ２３が取り付けられている。これにより、所定値以上のトルクが軸１９に掛かると駆動モータ２１による駆動力が遮断され、キャリアフィルムＡ１やギヤ部２２等が保護される。
【００１８】
なお、供給ローラ６，１０においては、それらの軸１９に駆動モータ２２は連結されていないが、トルクリミッタ２３は取り付けられている。これは、ヒートローラ１３，１４の上流側においてキャリアフィルムＡ１，Ａ２が弛むのを防止するためである。
【００１９】
図３に示すように、内壁２ｂの内側において軸１９には、キャリアフィルムＡ１が巻き付けられる円筒状のボビン２４を保持するボビン保持部２６が設けられている。このボビン保持部２６は、ボビン２４が装着される本体部３１と、この本体部３１の正面側端部に装着されるストッパ部４１とを有している。
【００２０】
ストッパ部４１は、背面側に開口した挿入凹部４１ａを有して円筒状に形成されており、ストッパ部４１の背面側端部には、背面側に突出する爪部４２が軸１９を挟んで一対形成されている。また、ストッパ部４１の底壁４３には、軸１９が摺動自在に貫通する貫通孔４３ａが形成されている。更に、底壁４３の正面側端面には、図４に示すように、上下に延在する溝４３ｂが形成されており、この溝４３ｂ内には、軸１９の先端において上下に立設されたストッパピン１９ａが配置されている。なお、ストッパ部４１の底壁４３には、ストッパ部４１を軸１９回りに９０度回転させた場合に、上下に延在してストッパピン１９ａを通過させ得るスリット４３ｃが形成されている。
【００２１】
このようなストッパ部４１の挿入凹部４１ａには、図３に示すように、本体部３１の正面側端部が摺動自在に挿入されている。この本体部３１は、軸１９が摺動自在に貫通する貫通孔３１ａを有して円筒状に形成されている。また、本体部３１の背面側端部にはフランジ３２が一体的に形成されており、このフランジ３２には、正面側に突出する爪部３３が軸１９を挟んで一対形成されている。なお、本体部３１の正面側端部には、貫通孔３１ａが段付状に広げられて、所定長さの大径部３１ｂが形成されている。また、本体部３１の正面側端部はテーパ状に先細りとされており、本体部３１の正面側端部へのストッパ部４１の装着が容易化されている。
【００２２】
また、ボビン２４の背面側端部には、本体部３１の各爪部３３が係合する切欠き部２４ａが形成されており、ボビン２４の正面側端部には、ストッパ部４１の各爪部４２が係合する切欠き部２４ｂが形成されている。これにより、ボビン２４の内径は本体部３１の外径より若干大きいものの、ボビン２４は、その中心軸線周りの動きが規制されることになる。
【００２３】
更に、本体部３１のフランジ３２と内壁２ｂとの間において軸１９にはフランジ５１が固定されており、このフランジ５１と本体部３１のフランジ３２との間には、軸１９を囲むようにして圧縮ばね５２が配置されている。これにより、本体部３１の正面側端部がストッパ部４１の挿入凹部４１ａの底面に接触し、ストッパ部４１の溝４３ｂの内面がストッパピン１９ａに接触するように、本体部３１及びストッパ部４１が正面側に付勢される。
【００２４】
なお、この状態において、本体部３１のフランジ３２の正面側端面とストッパ部４１の背面側端面との距離は、ボビン２４のその中心軸線方向の幅より若干長くなっている。つまり、ボビン保持部２６は、ボビン２４を、その中心軸線方向への遊びをもって保持している。また、駆動モータ２１により軸１９が回転させられると、軸１９のストッパピン１９ａ、ストッパ部４１の爪４２及び本体部３１の爪３３を介して、ボビン保持部２６及びボビン２４が一体的に回転する。
【００２５】
続いて、上述したフィルムガイドローラ８について、より詳細に説明する。なお、フィルムガイドローラ１２はフィルムガイドローラ８と同様の構成であるため、その説明を省略する。
【００２６】
図２及び図５に示すように、フィルムガイドローラ８は、筐体２の背面側の内壁２ｂに固定された支持部６１より支持された軸６２を有している。支持部６１は、軸６２の背面側端部が挿入されるべく正面側に開口した挿入凹部６１ａを有して円筒状に形成されており、その底壁６１ｂには、軸６２の背面側端部に形成されたねじ部６２ａが螺合するねじ穴６１ｃが形成されている。
【００２７】
内壁２ｂの内側において軸６２には、軸６２回りに回転自在となるように一対の滑り軸受６３を介してローラ本体６４が取り付けられている。このローラ本体６４は、ボビン２４から延出するキャリアフィルムＡ１が巻き掛けられるローラ部６４ａと、このローラ部６４ａの両端に一体的に形成された規制部６４ｂとを有している。ローラ部６４ａは、キャリアフィルムＡ１の幅と略同一の幅を有しており、規制部６４ｂは、ローラ部６４ａの外径より大きい外径を有しているため、ローラ部６４ａに巻き掛けられたキャリアフィルムＡ１は、ローラ部６４ａの中心軸線方向への動きを規制される。
【００２８】
なお、ローラ部６４ａと規制部６４ｂとはテーパ部６４ｃを介して連続している。そのため、走行するキャリアフィルムＡ１が、何らかの原因でローラ部６４ａ上から外れようとしても、キャリアフィルムＡ１に皺が寄ったり、キャリアフィルムＡ１が折れ曲がったりするようなことが防止されると共に、ローラ部６４ａ上へのキャリアフィルムＡ１の復帰が促進される。
【００２９】
また、軸６２の正面側端面には、コイン等を用いて軸６２を正転又は逆転させるための溝６２ｂが形成されている。この溝６２ｂを利用して軸６２を正転又は逆転させると、軸６２のねじ部６２ａが支持部６１のねじ穴６１ｃに螺合しているため、軸６２は、内壁２ｂに対して前進又は後退する。このように、ローラ部６４ａは、その中心軸線方向への位置調整が可能となっている。
【００３０】
ここで、ローラ本体６４と支持部６１との間において軸６２にはフランジ６６が固定されており、このフランジ６６と支持部６１との間には、軸６２を囲むようにして圧縮ばね６７が配置されている。これにより、コイン等を用いて軸６２を正転又は逆転させない限りは、軸６２が内壁２ｂに対して前進又は後退することが防止される。なお、軸６２の背面側端面にはねじ穴（図示せず）が形成されており、このねじ穴にはワッシャ６８を介して小ねじ６９が締結されている。これは、コイン等を用いて軸６２を逆転させて、軸６２を内壁２ｂから後退させた際に、ワッシャ６８がストッパとなって、軸６２が内壁２ｂから脱落するのを防止するためである。
【００３１】
以上のように構成されたオーバコート装置１においては、ローラ部６４ａがキャリアフィルムＡ１の幅と略同一の幅を有し、且つローラ部６４ａの中心軸線方向へのキャリアフィルムＡ１の動きを規制する規制部６４ｂがローラ部６４ａの両端に形成されているため、ボビン２４から延出してローラ部６４ａに巻き掛けられたキャリアフィルムＡ１は殆ど蛇行せずに走行することになる。これにより、走行するキャリアフィルムＡ１上のオーバコートフィルムがヒートローラ１３によりカードＳの上面の正確な位置に熱圧着される。
【００３２】
しかも、キャリアフィルムＡ１が巻き付けられるボビン２４が、その中心軸線方向への遊びを有してボビン保持部２６により保持されているため、ボビン２４に対するキャリアフィルムＡ１の巻付け位置がずれても、ローラ部６４ａにキャリアフィルムＡ１が確実に巻き掛けられるようにボビン保持部２６に対してボビン２４が移動することになる。これにより、ローラ部６４ａにおいてキャリアフィルムＡ１に皺が寄ったり、キャリアフィルムＡ１が折れ曲がったりするようなことが防止される。
【００３３】
なお、これらのことは、カードＳの下面にオーバコートフィルムを付するためにキャリアフィルムＡ２を走行させる構成（例えば、供給ローラ１０、巻取りローラ１１及びフィルムガイドローラ１２等）についても同様である。
【００３４】
従って、オーバコート装置１によれば、カードＳの上面及び下面にオーバコートフィルムを確実に付することが可能になる。
【００３５】
また、キャリアフィルムＡ１に対するオーバコートフィルムの貼付位置がずれているような場合にも、ローラ部６４ａをその中心軸線方向へ位置調整することで、図６に示すように、走行するキャリアフィルムＡ１上のオーバコートフィルムＢ１をヒートローラ１３によりカードＳの上面の正確な位置に熱圧着させることが可能になる。なお、このことは、カードＳの下面にオーバコートフィルムを付するためにキャリアフィルムＡ２を走行させる構成についても同様である。
【００３６】
最後に、上述した巻取りローラ７におけるボビン２４の交換手順について説明する。なお、供給ローラ６，１０及び巻取りローラ１１は巻取りローラ７と同様の構成であるため、以下の交換手順でボビン２４を交換することができる。
【００３７】
まず、図７に示すように、圧縮ばね５２の付勢力に対抗してストッパ部４１を背面側に押圧し、ストッパ部４１の溝４３ｂからストッパピン１９ａを外した後、ストッパ部４１を軸１９回りに９０度回転させて、ストッパ部４１のスリット４３ｃを上下に延在させる。続いて、図８に示すように、スリット４３ｃをストッパピン１９ａが通過するようにして、ストッパ部４１を取り外す。続いて、図９に示すように、本体部３１の大径部３１ｂの底面にストッパピン１９ａが接触するまで本体部３１を正面側に移動させ、本体部３１を筐体２内から外部に突出させた後、ボビン２４を取り外す。そして、以上の手順と反対の手順で別のボビン２４を巻取りローラ７に装着する。このように、本体部３１を筐体２内から外部に突出させることができるため、ボビン２４を効率良く交換することができる。
【００３８】
本発明は、上記実施形態に限定されるものではない。例えば、上記実施形態は、オーバコート装置１がプラスチック製のカードにオーバコートフィルムを付する場合であったが、本発明では、紙製のカード等、種々の記録媒体をオーバコートの対象とすることができる。
【図面の簡単な説明】
【００３９】
【図１】本発明に係るオーバコート装置の一実施形態の正面図である。
【図２】図１の矢印α側から見た巻取りローラ及びフィルムガイドローラの側面図である。
【図３】図２の巻取りローラの断面図である。
【図４】図２の巻取りローラの正面図である。
【図５】図２のフィルムガイドローラの断面図である。
【図６】図１の矢印β側から見たフィルムガイドローラの平面図である。
【図７】巻取りローラにおけるボビンの交換手順の第１段階を示す断面図である。
【図８】巻取りローラにおけるボビンの交換手順の第２段階を示す断面図である。
【図９】巻取りローラにおけるボビンの交換手順の第３段階を示す断面図である。
【符号の説明】
【００４０】
１…オーバコート装置、１３，１４…ヒートローラ、２４…ボビン、２６…ボビン保持部、６４ａ…ローラ部、６４ｂ…規制部、Ａ１，Ａ２…キャリアフィルム、Ｂ１…オーバコートフィルム、Ｓ…カード（記録媒体）。
【図１】
2005271382.tif 000003
【図２】
2005271382.tif 000004
【図３】
2005271382.tif 000005
【図４】
2005271382.tif 000006
【図５】
2005271382.tif 000007
【図６】
2005271382.tif 000008
【図７】
2005271382.tif 000009
【図８】
2005271382.tif 000010
【図９】
2005271382.tif 000011